【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
収縮スリーブラベル（２）を製造する方法であって、
前記方法が、
熱収縮フィルムのフィードリール（３）を巻き出すステップと、
前記フィードリール（３）から少なくとも一の熱収縮フィルムバンド（５）を分離させるステップと、
前記熱収縮フィルムバンド（５）を形成スピンドル（４）へ送出するステップと、
前記形成スピンドル（４）の周りに前記熱収縮フィルムバンド（５）を巻回してスリーブラベル（２）を提供するステップであって、前記形成スピンドル（４）に接触している前記熱収縮フィルムバンド（５）の第１の長手方向端部（５ａ）と前記熱収縮フィルムバンド（５）の第２の長手方向端部（５ｂ）との間にオーバーラップ領域（８）が提供されるステップと、
前記形成スピンドル（４）の周りに形成された前記スリーブラベル（２）を前記形成スピンドル（４）からラベル付けされる容器（１０）へ搬送するステップと、を含み、
前記第１の長手方向端部の少なくとも一部と前記第２の長手方向端部の少なくとも一部との前記オーバーラップ領域に厚さ０．００２〜０．０９ｍｍの溶剤層（６）を介在させるステップを更に含む、
方法。
【請求項２】
前記溶剤層の厚さが０．００２〜０．０５ｍｍであることを特徴とする、請求項１に記載の収縮スリーブラベル（２）を製造する方法。
【請求項３】
前記溶剤層の厚さが０．００２〜０．０３５ｍｍであることを特徴とする、請求項１に記載の収縮スリーブラベル（２）を製造する方法。
【請求項４】
前記熱収縮フィルムバンド（５）の長手方向延長部（１００）の方向に対して横方向に延び、かつ、前記オーバーラップ領域（８）において接合部（１３）を得るために前記形成スピンドル（４）に巻回された前記熱収縮フィルムバンド（５）の前記第２の長手方向端部（５ｂ）で前記第１の長手方向端部（５ａ）を溶接するステップを含むことを特徴とする、請求項１から請求項３のいずれか１項に記載の収縮スリーブラベル（２）を製造する方法。
【請求項５】
前記介在ステップが前記送出ステップの前に実行されることを特徴とする、請求項１から請求項４のいずれか１項に記載の収縮スリーブラベル（２）を製造する方法。
【請求項６】
前記介在ステップが前記分離ステップと前記送出ステップの間で実行されることを特徴とする、請求項１から請求項５のいずれか１項に記載の方法。
【請求項７】
前記介在ステップが、
接触により前記溶剤を前記熱収縮フィルムバンド（５）へ搬送するように用いられる少なくとも一の回転式円筒形ローラ；
熱収縮フィルム（５）のフラップに接触している固定された塗工装置；
前記熱収縮フィルムバンド（５）から若干離間配置された一以上の噴射ノズル；
または、同様の装置
から成る群から選択される供給装置（１２）によって実行されることを特徴とする、請求項１から請求項６のいずれか１項に記載の収縮スリーブラベル（２）を製造する方法。
【請求項８】
前記溶接ステップが、レーザ溶接、赤外線溶接、シールバー溶接、および超音波溶接の装置を含むことを特徴とする、請求項４に記載の収縮スリーブラベル（２）を製造する方法。
【請求項９】
前記形成スピンドル（４）の周りに前記熱収縮フィルムバンド（５）を巻回するステップの後、前記オーバーラップ領域（８）における前記二つの端部（５ａ、５ｂ）の間の接着性を最適化するために第２の長手方向端部（５ｂ）を第１の長手方向端部（５ａ）に押圧するステップを含む請求項１から請求項８のいずれか１項に記載の収縮スリーブラベルを製造する方法。
【請求項１０】
前記溶剤には、該溶剤が介在する両面を構成する少なくとも一つのポリマーと相溶性があるかまたは同じ種のポリマーが添加され（ａｄｄｉｔｉｖａｔｅｄ）、前記相溶性ポリマーの割合が、前記溶剤に対して０重量％〜３５重量％であることを特徴とする、請求項１から請求項９のいずれか１項に記載の収縮スリーブラベル（２）を製造する方法。
【請求項１１】
前記溶剤が、
−左旋性（−）α−ピネン型と右旋性（＋）α−ピネン型の両方のα−ピネン；
−左旋性（−）β−ピネン型と右旋性（＋）β−ピネン型の両方のβ−ピネン；
−カンフェン；
−左旋性（−）リモネン型と右旋性（＋）リモネン型の両方のリモネン；
−４−イソプロピルトルエン；
またはこれらの混合物
を含む群から選択されることを特徴とする、請求項１から請求項１０のいずれか１項に記載の収縮スリーブラベル（２）を製造する方法。
【請求項１２】
前記相溶性ポリマーが、
−ＣＯＣ（環状オレフィン共重合体）；
−ＳＢＣ（ポリスチレンブタジエン共重合体）；
−ＰＳ（ポリスチレン）；
−ＣＯＰ（環状オレフィンポリマー）
を含む群から選択されることを特徴とする、請求項１１に記載の収縮スリーブラベル（２）を製造する方法。
【請求項１３】
スリーブラベル（２）を製造するための装置（１）であって、
少なくとも一の形成スピンドル（４）へ熱収縮フィルムバンド（５）を供給するように設計された少なくとも一のフィードリール（３）と、
前記形成スピンドル（４）の外側面（４ａ）の周りに前記熱収縮フィルムバンド（５）を巻回する手段（７）であって、前記形成スピンドル（４）に接触している前記熱収縮フィルムバンド（５）の第１の長手方向端部（５ａ）と前記熱収縮フィルムバンド（５）の第２の長手方向端部（５ｂ）との間にオーバーラップ領域（８）を提供するように用いられる巻回手段（７）と、
を含み、
前記第１の長手方向端部の少なくとも一部と前記第２の長手方向端部の少なくとも一部との間の前記オーバーラップ領域に、厚さ０．００２〜０．０９ｍｍの溶剤層（６）を分配する装置を更に含むことを特徴とする、
装置（１）。
【請求項１４】
前記溶剤層の厚さが０．００２〜０．０５ｍｍ、好ましくは、０．００２〜０．０３５ｍｍであることを特徴とする、請求項１３に記載の装置（１）。
【請求項１５】
前記熱収縮フィルムバンド（５）の長手方向延長部（１００）方向に対して横方向に延びかつ前記オーバーラップ領域（８）において接合部（１３）を得るために前記形成スピンドル（４）に巻回された前記熱収縮フィルムバンド（５）の前記第２の長手方向端部（５ｂ）で前記第１の長手方向端部（５ａ）を溶接するための装置（１１）を含むことを特徴とする、請求項１３又は１４に記載の装置（１）。
【請求項１６】
前記溶接装置（１１）が、
レーザ溶接装置（１１ａ）；
赤外線溶接装置；
シールバー溶接装置（１１ｂ）；
超音波溶接装置
を含む群から選択される溶接手段を含むことを特徴とする、請求項１３から請求項１５のいずれか１項に記載の装置（１）。
【請求項１７】
第１の長手方向端部（５ａ）と第２の長手方向端部（５ｂ）の間で最適な接着を可能にするために形成スピンドル（４）に巻回された前記スリーブラベル（２）の外部表面に係着するように意図される圧着手段を含むことを特徴とする、請求項１３から請求項１６のいずれか１項に記載の装置（１）。
【請求項１８】
前記少なくとも一のフィードリール（３）と前記巻回手段（７）との間に、熱収縮フィルムバンド（５）の前記フィードリール（３）から巻き出された熱収縮材料の連続フィルム（１５）を切断するための手段（１４）を含み、前記切断手段（１４）が前記フィードリール（３）から巻き出された熱収縮材料の前記連続フィルム（１５）の切断を実行するように用いられることを特徴とする、請求項１３から請求項１７のいずれか１項に記載の装置（１）。
【請求項１９】
前記熱収縮フィルムバンドを前記各々の形成スピンドルへ搬送するために前記フィードリールと前記形成スピンドルの間に介在された搬送ドラムを含み、前記供給装置が前記搬送ドラムに関連付けられることを特徴とする、請求項１３から請求項１８のいずれか１項に記載の装置（１）。
【請求項２０】
前記ラベル付けされる容器（１０）を支持するように設計されたカルーセル（２０）を支持するためのフレームを含み、前記カルーセル（２０）の外周領域に提供される複数の形成スピンドル（４）が各々のスリーブラベル（２）をラベル付けされる容器（１０）の外部表面へ搬送するように用いられることを特徴とする、請求項１３から請求項１９のいずれか１項に記載の装置（１）。
【請求項２１】
前記溶剤は、該溶剤が介在している両面を構成する少なくとも一のポリマーに対して相溶性がありまたはこれと同種のポリマーが添加され、前記溶剤に対する前記相溶性ポリマーの割合が０〜３５重量％である請求項１３から請求項２０のいずれか１項に記載の装置（１）。
【請求項２２】
前記溶剤が、
−左旋性（−）α−ピネン型と右旋性（＋）α−ピネン型の両方のα−ピネン；
−左旋性（−）β−ピネン型と右旋性（＋）β−ピネン型の両方のβ−ピネン；
−カンフェン；
−左旋性（−）リモネン型と右旋性（＋）リモネン型の両方のリモネン；
−４−イソプロピルトルエン；
またはこれらの混合物
を含む群から選択されることを特徴とする、請求項１３から請求項２１のいずれか１項に記載の装置（１）。 
【請求項２３】
前記相溶性ポリマーが、
−ＣＯＣ（環状オレフィン共重合体）；
−ＳＢＣ（ポリスチレンブタジエン共重合体）；
−ＰＳ（ポリスチレン）；
−ＣＯＰ（環状オレフィンポリマー）
を含む群から選択されることを特徴とする、請求項１３から請求項２２のいずれか１項に記載の装置（１）。
【請求項２４】
請求項１から請求項１２のいずれか１項に記載の方法によって提供されるスリーブラベル（２）に関連付けられる容器（１０）。